(57)【要約】  複数の操作可能な列を有するウィンドウカバーリングと共に用いられるのに敵したファスナモジュール及びファブリックパネルを提供する。より詳細には、ファスナモジュールは、ウィンドウカバーリングのパネルに制御コードを係合させること、及び、ウィンドウカバーリングのパネルから制御コードの係合を外すことを可能にする。
2008518131.tif 000002
【特許請求の範囲】
【請求項１】
第１の制御部材を有するウィンドウカバーリングに用いるのに適したファスナモジュールであって、
ウィンドウカバーリングの長手方向部分に固定可能なクリップ部材と、
ハウジング及び係合部材を含むバックル部材であって、ウィンドウカバーリングの少なくとも前記第１の制御部材に着脱可能に且つ選択可能に固定されるのに適しているバックル部と、
を含むファスナモジュール。
【請求項２】
前記バックル部材が、タブ部材をさらに含み、前記係合部材が、第１の端部及び第２の端部を有する横方向ロッドをさらに含み、前記第１の端部が前記ハウジングに固定され、前記第２の端部が前記タブ部材と着脱可能に係合可能である、請求項１に記載のファスナモジュール。
【請求項３】
前記タブ部材が前記ハウジングと一体である、請求項２に記載のファスナモジュール。
【請求項４】
前記バックル部材が、アーチ状部をさらに含み、前記係合部材が、第１の端部及び第２の端部を有する横方向ロッドをさらに含み、前記第１の端部が前記ハウジングに固定され、前記第２の端部が前記アーチ状部と着脱可能に係合可能である、請求項１に記載のファスナモジュール。
【請求項５】
前記ウィンドウカバーリングの長手方向部分が、前記クリップ部材が固定されるアンカー部材をさらに含む、請求項１に記載のファスナモジュール。
【請求項６】
前記クリップ部材が、前記ウィンドウカバーリングの長手方向部分に着脱可能に固定される、請求項１に記載のファスナモジュール。
【請求項７】
ウィンドウカバーリングのファスナモジュールであって、
ウィンドウカバーリングの長手方向部分においてアンカー部材に固定可能なクリップ部材であって、前記アンカー部材を把持するのに適した弾性的に変形可能なブラケット部を含むクリップ部材と、
ハウジング及び係合部材を含むバックル部材であって、ウィンドウカバーリングの少なくとも第１の制御部材に、着脱可能に且つ選択可能に固定されるのに適しているバックル部材と、
を含む、ウィンドウカバーリングファスナモジュール。
【請求項８】
前記バックル部材が、タブ部材をさらに含み、前記係合部材が、第１の端部及び第２の端部を有する横方向ロッドをさらに含み、前記第１の端部が前記ハウジングに固定されており、前記第２の端部が前記タブ部材に着脱可能に係合可能である、請求項７に記載のウィンドウカバーリングファスナモジュール。
【請求項９】
前記タブ部材が前記ハウジングと一体である、請求項８に記載のウィンドウカバーリングファスナモジュール。
【請求項１０】
前記バックル部材が、アーチ状部をさらに含み、前記係合部材が、第１の端部及び第２の端部を有する横方向ロッドをさらに含み、前記第１の端部が前記ハウジングに固定されており、前記第２の端部が前記アーチ状部に着脱可能に係合可能である、請求項７に記載のウィンドウカバーリングファスナモジュール。
【請求項１１】
ウィンドウカバーリングであって、
ヘッドレール、当該ヘッドレールから吊り下げられた複数の開放可能な列、第１の制御部材、及び第２の制御部材を含み、前記複数の列の各々が、１対の長手方向領域及び第１のファスナモジュールを有し、
各ファスナモジュールが、前記１対の長手方向領域の第１に固定可能なクリップ部材、及びバックル部材を含み、当該バックル部材がハウジング及び係合部材を含み、前記バックル部材が、ウィンドウカバーリングの少なくとも前記第１の制御部材に着脱可能に固定することに適しており、
前記第２の制御部材が、前記複数の列の各々の前記１対の長手方向領域の第２に固定され、
少なくとも前記第１の制御部材が制御可能に引き上げ又は引き下げられることができるウィンドウカバーリング。
【請求項１２】
前記バックル部材が、タブ部材をさらに含み、前記係合部材が、第１の端部及び第２の端部を有する横方向ロッドをさらに含み、前記第１端部が前記ハウジングに固定されており、前記第２端部が前記タブ部材と着脱可能に係合可能であり、前記第１の制御部材が、前記横方向ロッドと係合可能な少なくとも１つのループを有するコードを含む、請求項１１に記載のウィンドウカバーリング。
【請求項１３】
前記タブ部材が前記ハウジングと一体である、請求項１２に記載のウィンドウカバーリング。
【請求項１４】
前記バックル部材が、弾性のアーチ状部をさらに含み、前記係合部材が、第１の端部及び第２の端部を有する横方向ロッドをさらに含み、前記第１の端部が前記ハウジングに固定され、前記第２の端部が、前記弾性のアーチ状部と着脱可能に係合可能であり、前記第１の制御部材が、前記横方向ロッドと係合可能な少なくとも１つのループを有するコードを含む、請求項１１に記載のウィンドウカバーリング。
【請求項１５】
前記複数の列の少なくとも１つにおける長手方向部分が、前記クリップ部材が固定されるアンカー部材をさらに含む、請求項１１に記載のウィンドウカバーリング。
【請求項１６】
前記第２の制御部材が、前記複数の列の少なくとも１つの第２の長手方向領域に、第２のファスナモジュールを用いて固定可能であり、且つ、前記第２の制御部材が制御可能に調節されることができる、請求項１１に記載のウィンドウカバーリング。
【請求項１７】
ウィンドウカバーリングがキットとして提供される、請求項１１に記載のウィンドウカバーリング。
【請求項１８】
独立に開放可能な複数の列、１対の長手方向領域、第１の制御部材、第２の制御部材、及び、少なくとも１つのファスナモジュールを含むウィンドウカバーリングの少なくとも１つの列を選択可能に開放する方法であって、前記ファスナモジュールが、前記１対の長手方向領域の第１に固定可能なクリップ、及び、ウィンドウカバーリングの少なくとも前記第１の制御部材との選択可能な係合に適したバックル部材を含み、前記方法が、
前記複数の列の少なくとも１つを前記第１制御部材に選択的に係合させることと、
前記第１の制御部材の位置を、前記複数の列の前記選択された少なくとも１つを開放するために調節することと、
を含む方法。
【請求項１９】
前記複数の列の前記少なくとも１つを前記第１の制御部材に選択可能に係合させることが、前記バックル部材を前記第１の制御部材に係合させることを含む、請求項１８に記載の方法。
【請求項２０】
前記複数の列の前記少なくとも１つを前記第１の制御部材に選択可能に係合させることが、前記ファスナモジュールを前記複数の列の前記少なくとも１つに選択的に係合させることを含む請求項１８に記載の方法。
【請求項２１】
前記複数の列の前記選択された少なくとも１つの列の位置を調節することが、前記列の幅を狭めることを含む、請求項１８に記載の方法。
【請求項２２】
前記複数の列の前記選択された少なくとも１つの列の位置を調節することが、前記列を傾けることを含む、請求項１８に記載の方法。
【請求項２３】
ヘッドレールを含むウィンドウカバーリングに用いられるのに適した、ファスナモジュールであって、
ウィンドウカバーリングの複数の列の少なくとも１つの列の長手方向部分に固定可能であるように適合されたクリップ部材と、
ハウジング及び係合部材を含むバックル部材であって、前記ウィンドウカバーリングのヘッドレールへの、着脱可能かつ選択可能な固定に適合されているバックル部材と、
を含むファスナモジュール。
【請求項２４】
前記ハウジングと前記係合部材とが互いに一体であり、且つ、前記ヘッドレールを保持するためのあぶみ状部を形成している、請求項２３に記載のファスナモジュール。
【請求項２５】
少なくとも１つの制御コードから吊り下げられた少なくとも１つのパネルを含むウィンドウカバーリングに用いられるのに適したファスナモジュールであって、
通路を画成するホルスターと、
前記通路内に着脱可能に固定可能である遠位端部を有する横方向ロッドを含むバックル部材と、
前記ホルスターと前記バックル部材とを作用的に連結するクリップ部材であって、ファスナモジュールを、少なくとも１つのパネル及び少なくとも１つの制御コードに拘束されるように配置するのに適したクリップ部材と、
を含むファスナモジュール。
【請求項２６】
前記ホルスターがキャッチを画成し、前記横方向ロッドが止め部を含む、請求項２５に記載のファスナモジュール。
【請求項２７】
前記キャッチが前記通路のオフセット部である、請求項２６に記載のファスナモジュール。
【請求項２８】
前記止め部が、弾性的に変形可能な隆起部を含む、請求項２６に記載のファスナモジュール。
【請求項２９】
前記クリップ部材が、前記横方向ロッドの近位端部を前記ホルスターに作用的に連結する柔軟なバンドである、請求項２６に記載のファスナモジュール。
【請求項３０】
第１の制御部材を有するウィンドウカバーリングに用いられるのに適したファスナモジュールであって、
ウィンドウカバーリングの長手方向部分に拘束されるように配置されることができるクリップ部材と、
係合部材を含むバックル部材であって、前記係合部材が、ウィンドウカバーリングの少なくとも前記第１の制御部材に着脱可能に固定するのに適しているバックル部材と、
を含むファスナモジュール。
【発明の詳細な説明】
【技術分野】
【０００１】
本発明は、ウィンドウカバーリングと共に用いるための改良されたファスナモジュールに関する。より詳細には、本発明は、ウィンドウカバーリングの複数の列のパネルと共に用いるためのファスナモジュール及びその使用方法に関する。
【背景技術】
【０００２】
装飾的なウィンドウカバーリングは、プライバシー及び光遮断をもたらすための一般的な物品である。これらのウィンドウカバーリングは、ローマンシェード、ベネチアンブラインド、垂直ブラインド、ハニカムシェードなどの様々な形態である。典型的に、ウィンドウカバーリングは、開口部を覆う１又は複数のパネルを含み、これらのパネルは、１以上の制御部材を有する調節機構に連結されている。
【０００３】
例えば、一般的なタイプのウィンドウカバーリングの１つが、ローマンシェードとして知られている。このタイプのシェード（日よけ）は、シェードの上縁に沿ってヘッドレールに取り付けられたファブリック（織物）材料から成り、ファブリック材料は、ファブリックの面にわたって一連の柔軟な折り曲げ部をもたらすように、間隔を有してギャザーを寄せられている。この結果、典型的なローマンシェードは、波状の、又は、なだらかに襞が付けられた外観を呈する。このようなローマンシェードは、シェードが引き上げられたときに、シェード全体がウィンドウカバーリングの上部付近に留まるまで、底部からほぼ水平な折り曲げ部又は襞を成して寄せ集められるように構成されている。幾つかの型においては、ウィンドウカバーリングの上部が降下されることも可能である。シェードは、シェードに取り付けられた制御部材を引っ張ることにより操作される。制御部材は、通常、パネルの底部に、接着剤、超音波溶接、縫い付け、結び付けなどにより固定されている。慣用のローマンシェードに代わるシェードが、同時係属出願第１０／４２７，８２９号に開示されている。標準的なローマンシェードと異なり、第１０／４２７，８２９号に開示されているローマンスタイルシェードは、シェード全体が引き上げられることを必要とせずに、個々の列を開放することによりシェードの面に間隙を形成することを可能にする。同時係属出願第１０／４２７，８２９号を援用して本文の記載の一部とする。
【０００４】
別の一般的なタイプのウィンドウカバーリングは、ベネチアンブラインドである。ベネチアンブラインドは、一般に、ヘッドレール内の調節機構により制御される１対のラダーにより支持された複数のスラットから構成されている。ラダーは、一般に、ヘッドレールから吊り下げられ、且つボトムレールに連結された、１対の平行なコードを含む。多数の横木が平行なコードを横切って延在し、スラットを支持している。慣用のベネチアンブラインドに代わるブラインドが、同時係属出願第１０／４１３，２００号に開示されている。同時係属出願第１０／４１３，２００号に開示されているブラインドは慣用のベネチアンブラインドとは異なり、ラダーを有さない制御部材を用い、また、スラットが閉じられたときに、スラットが、制御部材、及び制御コードのための穴を隠すことを可能にする構成を有する。同時係属出願第１０／４１３，２００号も援用して本文の記載の一部とする。
【０００５】
ベネチアンブラインド及びローマンシェードの両方において、様々な制御部材が光遮断要素に永久的に固定される。従って、一般に、制御部材に光遮断要素を着脱可能に固定することができない。同時係属出願における設計においても、パネルに制御コードを容易に取り付け、またパネルから制御コードを容易に取り外すことを可能にする着脱可能な取付機構はない。従って、ウィンドウシェードの特定の列又は部分を、他の部分は閉鎖したままで開放するように容易に選択することができない。例えば、慣用のベネチアンブラインドのスラットを傾斜させるときは、スラットの全てが同時に開放又は閉鎖されなくてはならない。また、パネル全体の取り外し（例えばクリーニングのために）が、不可能でないにしても困難である。パネルを容易に取り外しできないことは、設置したならば容易にクリーニングできないファブリックタイプのウィンドウカバーリングには特に不都合である。
【発明の開示】
【発明が解決しようとする課題】
【０００６】
本発明は、ウィンドウカバーリングの様々な列を、選択可能且つ着脱可能に制御部材に係合することを可能にし、また、ウィンドウカバーリングのパネル全体が容易に取り外され又は交換されることを可能にするファスナモジュールを提供することにより、これらの欠点を克服する。
【課題を解決するための手段】
【０００７】
本発明は、ウィンドウカバーリングに用いるための改良されたファスナモジュールに関し、このファスナモジュールは、ファスナモジュールに連結されたウィンドウカバーリングの一部がファスナモジュールとの係合から外されることを可能にするように改良されている。改良されたファスナモジュールを用いるウィンドウカバーリングは、一般に、ヘッドレール、及び、ヘッドレールから吊り下げられた複数の列を含む。
【０００８】
ファスナモジュールは、好ましくは、ウィンドウカバーリングの列の長手方向部分に、クリップ部材により着脱可能に固定され、クリップ部材は、アンカー部材（例えば、列の長手方向部分に組み込まれた長手方向のダウエル又はロッド）に係合される。好ましくは、クリップ部材は、１対のブラケットを含み、ブラケットは、アンカー部材の上で付勢されたときに弾性的に曲がり、且つ、前記ブラケットの対の間でアンカー部材を把持する。アンカー部材は、ファスナモジュールとパネルと制御部材とを連結するための、より強固な支持部をもたらす。係合部材と同様に、クリップ部材も、様々な形態（例えば、結束、ばね付勢ピン、又は、ファスナモジュールを列の長手方向部分に着脱可能に固定するのに適した他の機械的手段）を有し得る。クリップとバックル部材とは、好ましくは、単一体として、又は互いに一体であるように形成される。
【０００９】
本発明のファスナモジュールの別の実施形態も、クリップ部材及びバックル部材を含み、このバックル部材は、さらに、ハウジング及び係合部材を含む。この実施形態においても、クリップ部材は列の長手方向部分に着脱可能に固定される。しかし、制御部材に固定されるのでなく、バックル部材は、ウィンドウカバーリングに一般的に見られるように、ヘッドレールに着脱可能に固定される。バックル部材は、あぶみ状部を形成することができ、このあぶみ状部により、クリップ部材が係合された列が、ヘッドレールに支持され、保持され、又は固定される。
【００１０】
本発明のファスナモジュールの１つの利点は、ユーザが、ウィンドウカバーリングのどの列を開放又は閉鎖するかを容易に選択できるようにすることである。例えば、ユーザは、ウィンドウカバーリングの或る数のボトム列だけを、若しくは列を１列おきに、又は、ウィンドウカバーリングの上半分の列だけを開放したいことがある。本発明のファスナモジュールを用いると、これが可能である。ウィンドウカバーリング及びファスナモジュールは、キットの形態で提供されることもでき、これにより、ユーザは、どの列を選択的に操作可能にしたいかという要望に合わせてウィンドウカバーリングを作成することができる。以下に、ファスナモジュールと共に用いられるのに適したウィンドウカバーリングの例を示すが、これらは、限定を目的としたものではない。
【００１１】
特許出願第１０／４２７，８２９号（この出願を援用して本文の記載の一部とする）に示されているようなローマンシェードに類似した一実施形態において、複数の列の各々が、ファブリック材料、例えば、連続した単一のファブリックパネル又は複数のファブリックパネルから構成され得る。複数の列の各々が、１対の対向する長手方向領域を画成している。好ましくは、ウィンドウカバーリングの列が伸展されているとき、隣り合う列は、これらの列の間に間隙をほとんど又は全く有さない。従って、パネルの列が完全に伸展されているとき、ほぼ全ての光が遮断される。
【００１２】
この実施形態において、少なくとも１つのファスナモジュールが、ウィンドウカバーリングの列の各々に着脱可能に固定され得る。ファスナモジュールは、前記１対の長手方向領域の第１に固定可能なクリップ、及び、制御部材に固定可能なバックル部材を含む。ウィンドウカバーリングは、さらに、第１の制御部材及び第２の制御部材を含む。第１制御部材及び第２制御部材は、ヘッドレールからウィンドウカバーリングの面の後ろに、ウィンドウカバーリングの長さに沿って下方に延在している。列が伸展されているとき、列の間に間隙がほとんど又は全くないため、ウィンドウカバーリングの面より後ろの制御部材及びファスナモジュールは、ウィンドウカバーリングの列が閉じられているとき目に見えない。第１制御部材と第２制御部材とは本質的に相互交換可能であるが、説明のために、第１制御部材、第２制御部材と称する。
【００１３】
第１制御部材は、任意の所望の列に関して、ファスナモジュールのバックル部材と選択的に係合可能である。このように係合されるとき、第１制御部材は、選択された列の長手方向部分に、第１制御部材を移動させることにより列の長手方向部分が上げ下げされることができるように、拘束されるように配置される。第２制御部材は、列の長手方向部分（第１制御部材が連結されている部分に対向する部分）に作用的に連結されている。例えば、第１制御部材が、列の底部、すなわち、列の下側の長手方向部分に連結されるならば、第２制御部材は、列の上部、すなわち、列の上側の長手方向部分に連結される。必要であれば、第２制御部材も、第２のファスナモジュールを用いて列に固定され得る。こうすることで、ユーザは、制御部材を列の上側部分又は下側部分のいずれにも選択的に係合させることができる。制御コードを上げ下げすることにより、制御コードに固定されたこれらの列部分が調節される。列の上側部分と下側部分との間の距離を短くすることにより、列の幅が狭くされて、ウィンドウカバーリングの面に間隙が形成される。この距離を短くすることは、上側部分若しくは下側部分をそれぞれ個々に上げ下げすることにより、又は、上側部分と下側部分とを同時に移動させることにより達成されることができる。
【００１４】
ファスナモジュールを制御部材と選択的に係合させることにより、ユーザは、ウィンドウカバーリングのどの列をユーザが開放したいかを選択することができる。例えば、ウィンドウカバーリングの第３列及び第４列のみを開放させたいならば、ユーザは、これらの列のファスナモジュールのみを制御部材に係合させ、これにより、制御部材が引き上げられるとき、第３列及び第４列の下側の長手方向列部のみが列幅を狭くされる。こうして、２つの開口のみがウィンドウカバーリングに形成される。
【００１５】
ファスナモジュールを用いるのに適したウィンドウシェードの別の実施形態が、特許出願第１０／４１３，２００号（この出願も援用して本文の記載の一部とする）に記載されている。この実施形態において、ベネチアンブラインドタイプのウィンドウカバーリングは、ヘッドレール、ボトムレール、及び、複数の列を含む。列の各々は、遠位端部及び近位端部を有するスラットを含む。遠位端部は、実質的に、より幅広であり、従って、ウィンドウカバーリングが閉鎖位置にあるとき、遠位端部は、下側の隣接する列に重なり、それにより、調節部材及び固定部材を隠す。様々な列が、調節部材を固定部材に対して長手方向に上げ下げすることにより、閉鎖位置と開放位置との間で傾斜される。先に開示されたローマンスタイルシェードを用いるのと同様に、ファスナモジュールは、所定の列のみが開放又は閉鎖されるように、調節部材を所望の列のみと選択的に係合させるために用いられることができる。
【００１６】
本発明の、ウィンドウカバーリングの特定の列を選択的に開放することができる利点に加えて、個々のパネルの全てが容易に取り外され得る。従って、個々のパネルを、ウィンドウカバーリングの残りの部分を所定位置に残したまま洗浄又は交換することができる。例えば、１枚のパネルが損傷し、又は汚れた場合、ウィンドウカバーリング全体を交換するのでなく、１枚のパネルを交換又は洗浄することができる。また、様々な色、テクスチャ、光遮断特性を有する異なるパネルを既存のパネルと相互に交換することができる。従って、ウィンドウカバーリングの色を、新しいウィンドウカバーリング全体を購入する必要なく変えることができる。ウィンドウカバーリングの全体を変えずに、既存のパネルの幾つか又は全てを異なるパネルに変えることが可能である。
【発明を実施するための最良の形態】
【００１７】
本文中に開示されている発明は、多くの異なる形態で実行可能である。本発明の好ましい実施形態を図面に示し、本文以下に詳細に記載する。しかし、この開示が、本発明の原理の例示であり、本発明を、例示された実施形態に限定するものではないことが理解されよう。
【００１８】
本発明のファスナモジュールと共に用いられ得るウィンドウカバーリングの実施形態が図１に示されている。ウィンドウシェード１００が閉じた位置で示されており、ヘッドレール１０２及び複数の列１０６を含む。シェード１００には、好ましくは、第１の制御部材、例えば開放コード１０８も設けられており、開放コード１０８は、選択された個々の列の外形を狭め、それによりウィンドウシェード１００の全面に間隙又は開口を形成する。また、シェード１００全体を引き上げるための引き上げコード１１０も設けられている。第１の制御部材１０８及び引き上げコード１１０は、それぞれ、鉛直方向調節機構、例えば、コードロック１０７及びコードロック１０９に通されている。
【００１９】
図１に示されているような完全に閉じた状態において、ウィンドウシェード１００は、連結コードが見えない外観を呈し、プライバシー及び光遮断の両方をもたらす。シェード全体を引き上げずに光が室内に入ることを可能にし、それにより或る程度のプライバシーを維持することが望ましいならば、ユーザは、第１の制御部材を動作させる。これは、例えばコード１０８を引張り、そして、列１０６の後ろに延在するコード１０８の一部が引き上げられるように引き込むことにより行われ、こうして、選択された列１１３（図２）が、列１１３の外形を狭くするように調節され、これは、これらの列の下部を、選択された列の面より後ろに引き、それにより間隙１１１を形成することにより行われる。
【００２０】
本発明のファスナモジュールがウィンドウカバーリング１００の例示的な列１１４と共に用いられている様子が図３及び図４に示され、ファスナモジュールは、図５にも示されている。列１１４は、好ましくは、ファブリック材料から成る単一のパネル１１５から形成され、パネル１１５は、長手方向に延在する上側領域１１６、長手方向に延在する中央領域１１８、及び、長手方向に延在する下側領域１２０を有する。アンカー部材、例えば、長手方向のダウエル（丸棒）１１７及び１１９が、列１１４の上側領域１１６及び下側領域１２０に組み込まれていることが好ましい。好ましくは、アンカー部材は、ファブリック材料を均等且つ強固に支持するように、列の幅にわたって延在する。
【００２１】
列１１４の下側領域１２０に、ファスナモジュール１３０（図４及び図５に詳細に示す）が配置されている。ファスナモジュール１３０は、バックル１３２及びクリップ１３４を含み、好ましくは、弾性材料、例えば、熱可塑性プラスチック樹脂、軽量金属などからつくられている。開口、例えば切欠き１２５が、下側領域１２０に、ダウエル１１９の一部を露出させるように形成されており、これにより、ファスナモジュール１３０がダウエル１１９に係合され得る。詳細には、クリップ１３４が、摩擦係合により、又は、クリップ１３４により加えられる機械的力（例えば、クリップ１３４を形成する材料の弾性特性により加えられる）により、ダウエル１１９に固定されることができる。他の実施形態において、クリップ部材は、アンカー部材の周囲を取り囲み、又はアンカー部材の周囲にて輪状になることにより、アンカー部材に固定され、又は、アンカー部材に拘束されるように配置され得る。
【００２２】
この実施形態において、バックル１３２は、ハウジング１３６、及び、係合部材、例えば横方向ロッド１３８を含む。横方向ロッド１３８は、第１の端部１４４及び第２の端部１４６を含み、第１端部１４４は、ハウジング１３６に固定され、又はハウジング１３６と一体であり、第２端部１４６は、タブ部材１４０と、第２端部１４６を穴１４８に押し通すことにより係合可能である。この実施形態において、タブ１４０はアーチ状の部材であり、ハウジング１３６の一部として一体的に形成され、且つ穴１４８を画成している。
【００２３】
タブ部材は、他の形態であってもよい。例えば、タブ部材は、ハウジングにヒンジ連結された、ハウジングの一部であってよく、タブが枢動されて横方向ロッドと係合し、又は横方向ロッドとの係合から外されることを可能にする。幾つかの実施形態において、タブ部材が必要でないことがある。例えば、横方向ロッド１３８の第２端部１４６を、コード１０８が横方向ロッド１３８との係合から容易に外れることがないための十分な寸法及び形状にすることができる。例えば、コード１０８は、好ましくは、綿、ポリエステルなどの、幾分伸張可能な弾性材料からつくられるため、穴１４２に対する第２端部１４６の相対寸法は、ファスナ部材１３０との係合からコード１０８を外すためにはコード１０８が第２端部１４６を通り越すように付勢されなければならないような寸法にされることができる。
【００２４】
第１の制御部材コード１０８は、ファスナモジュール１３０と、コード１０８により画成された穴１４２を通る横方向ロッド１３８を介して係合されている。第２の制御部材コード１２２がファスナモジュール１３０を通っているが、ファスナモジュール１３０には固定されていない。従って、コード１０８が引き込まれ、又は引き上げられるとき、下側領域１２０も引き込まれ、又は引き上げられ、これにより、ウィンドウカバーリングに開口が形成される。また、コード１２２はハウジング１３６を通り、且つ、ハウジング１３６に対して鉛直方向に自由に動くため、ファスナモジュール１３０（特に、ハウジング１３６）は、コード１２２のためのガイドとして働く。この実施形態において、第２の制御部材１２２が、アンカー部材１１７に、アンカー部材１１７を、制御部材１２２に形成された穴又はループ１２３に通すことにより固定されている。
【００２５】
図６を参照すると、先に論じたように、ファスナモジュール１３０を第１制御部材コード１０８に係合させることにより、コード１０８が引き込まれるとき、下側領域１２０が上側領域１１６に対して引き上げられ、それにより、列１１４の外形を狭くし、ウィンドウカバーリングに開口を形成する。図示されているように、第１制御部材コード１０８はファスナモジュール１３０ａに係合されていない。従って、コード１０８が引き込まれても、下側領域１２０ａは上側領域１１６ａに対して引き上げられず、列は狭くされない。ウィンドウカバーリングにおける列の各々がこのようなファスニングモジュールを有するため、ユーザは、図２に示されているように第１の制御コードが引き込まれるときに、所望の列だけが開放されるように、様々なファスナモジュールを選択的に係合させ、又は係合から外すことができる。
【００２６】
様々な制御部材、及び、引き上げコードの引き上げ及び引き下げを制御するために用いられる鉛直方向の調節機構は、当分野で知られている任意の適切な機構であり得る。例えば、鉛直方向の調節機構は、コードの位置を調節するためにベネチアンブラインドシステムに一般的に見られる機構と類似であってよく、例えば、ヘッドレール内に嵌め込まれ、且つ作用的に連結されたワンドにより操作可能な、ウォームギア組立体であり得る。或いは、コードロック組立体も、制御部材の引き上げ及び引き下げを制御するために、開放部材と共に用いられることができる。さらに別の例として、動力駆動又は遠隔制御式の鉛直方向調節機構も、制御部材を引き込み又は伸展させるために用いられることができる。
【００２７】
この実施形態において、第１の制御部材コード１０８が、列の下側長手方向領域１２０に配置されたファスナモジュール１３０と選択的に係合されるように記載されている。しかし、ファスナモジュールが、上側の長手方向領域に配置されて、列の外形が、上側領域を下側領域に対して下げることにより狭くされることも可能である。
【００２８】
本発明のファスナモジュールのさらなる利点を、図７を参照しつつ説明する。この実施形態においても、ウィンドウカバーリングは、複数の列のパネル、例えば列２１４から構成されている。この実施形態において、第２のファスナモジュール２３１が、第２の制御部材、例えばコード２２２に係合されている。先に記載した実施形態と同様に、列２１４は、長手方向に延在する上側領域２１６、長手方向に延在する中央領域２１８、及び、長手方向に延在する下側領域２２０を含み、アンカー部材、例えば、ダウエル２１７及び２１９が、それぞれ、上側領域２１６及び下側領域２２０に組み込まれている。開口、例えば切欠き２２１が、ダウエル２１７の一部を露出させるように上側領域２１６に形成され、これにより、ファスナモジュール２３１がダウエル２１７と係合されることができる。類似の開口、例えば切欠き２２５が、ダウエル２１９の一部を露出させるように下側領域２２０に形成され、これにより、ファスナモジュール２３０がダウエル２１９と係合され得る。
【００２９】
この実施形態において、第１の制御部材及び第２の制御部材、例えば、コード２０８及びコード２２２が、それぞれ、当分野で知られているような、ヘッドレール内の１以上の鉛直方向調節機構（図示せず）、例えば、コードロック、回転可能なドラムなどにより調節可能である。こうして、第２の制御部材コード２２２を下げ、それにより上側領域２１６を下側領域２２０に向って下げること、若しくは、第１制御部材コード２０８を引き上げ、それにより下側領域２２０を上側領域２１６に向って引き上げること、又は、これらの両方の動作の組合せにより、ウィンドウカバーリングに開口を形成する。すなわち、列の幅を狭くすることは、第１制御部材、第２制御部材を個々に引き上げ若しくは引き下げること、又はこれらの両方を組み合わせることにより行われ得る。
【００３０】
また、先に論じたように、ファスナモジュール２３１及びファスナモジュール２３０は、それぞれ、ダウエル２１７及びダウエル２１９との係合から外されることができ、これにより、パネル２１８がウィンドウカバーリングから完全に外されることができる。ダウエル２１７及びダウエル２１９を取り外して、ファブリックパネル２１８を所望のように洗浄又は交換することができる。従って、ウィンドウカバーリング全体を、ウィンドウカバーリングをウィンドウフレームに固定するために典型的に用いられるマウンティングブラケットから取り外すのでなく、個々のパネルが容易に取り外される。また、パネルの設置も、ファスナモジュールをアンカー部材に固定することにより、容易に行われる。ファスナモジュール２３０及び２３１が、制御部材１０８及び１２２の正しい位置に維持されるため、パネルは容易に再設置され、又は、新しいパネルが、制御部材１０８及び１２２の正しい位置に設置される。
【００３１】
図４及び図５に示したファスナモジュールの変型が図８及び図９に示されている。図４及び図５のファスナモジュールと同様に、ファスナモジュール３３０はバックル３３２を含み、バックル３３２は、ハウジング３３６、及び、係合部材（例えば、第１端部３４４及び第２端部３４６を有する横方向ロッド３３８）を有する。バックル３３２は、さらに、第１端部３４１及び第２端部３４３を画成するアーチ状部３４０を含む。第２端部３４３は穴３４８を画成しており、この穴３４８に、横方向ロッド３３８の第２端部３４６が通され、それにより第２端部３４６がアーチ状部３４０と係合され得る。図９に、ファスナモジュール３３０の係合が外された状態、すなわち開放状態が示されている。ファスナモジュール３３０は、さらに、ウィンドウカバーリングのパネルの長手方向部分に着脱可能に固定されるためのクリップ部材３３４を含む。この実施形態においては、横方向ロッド３３８とクリップ部材３３４との間の間隔が、先に論じた実施形態よりも幾分大きいため、より大きい開口を形成し、この開口を通してウィンドウカバーリングの制御部材がガイドされる。
【００３２】
ここまで、ファスナモジュールをローマンシェードタイプのウィンドウカバーリングと共に用いることに関して記載してきた。図１０を参照すると、本発明のファスナモジュールを用いた別のウィンドウカバーリングが示されている。この実施形態において、出願番号１０／４３１３，２００に示されているようなベネチアンタイプのブラインドの列が示されている。
【００３３】
この実施形態において、スラット５１６を傾け、また開放するために、固定部材５２０及び調節部材５２２が用いられている。固定部材５２０は、スラット５１６の第１の長手方向部分５２４に固定され、調節部材５２２は、スラット５１６の、第１の長手方向部分５２４よりも遠位側に位置する第２の長手方向部分５２６に固定されている。この特定の例において、ファスナモジュール５３０が、調節部材５２２（その一部が点線で示されている）を、長手方向部分５２６に配置されたアンカー部材５２８に固定するために用いられる。先に論じたウィンドウシェードの例と同様に、ファスナモジュールを、制御コードがウィンドウカバーリングの列に固定される任意の点で用いることができることが理解されよう。開口、例えば切欠き５３２も、ファスナ部材５３０のクリップ部材５３４がロッド５２８と係合することを可能にするようにファブリックに形成されている。アンカー部材５２１が長手方向部分５２４に配置され、且つ、コードに形成されたループ５２３を用いてコード５２０に拘束されるように配置されている。
【００３４】
ファスナモジュール５３０を、アンカー部材、例えばロッド５２８に選択的に係合させることにより、スラットが、調節部材５２２の長手方向移動により傾斜され得る。ファスナモジュール５３０がアンカー部材５２８と係合していなければ、調節部材５２２の長手方向移動は特定のスラットを傾斜させない。従って、ユーザは、選択されたスラット列のみを開放又は閉鎖させるように選択することができる。この特定の実施形態において、１つのファスナモジュール５３０のみが示されているが、先に論じたように、コード５３０をアンカー部材５２１に連結するのでなく、第２のファスナモジュールを用いることも可能である。
【００３５】
本発明のファスナモジュールは、別の形態であってもよい。図１１に示されているファスナモジュール５５０は、ヘッドレール５５２に着脱可能に固定される。ファスナモジュールは、クリップ部材５５４及びバックル部材５５６を含む。この実施形態において、クリップ部材５５４とバックル部材とは、互いに一体的に形成される。バックル部材５５６は、実質的に、ヘッドレール５５２のレール５５８の上に嵌め込まれる逆Ｕ字状又はあぶみ形状（ｓｔｉｒｒｕｐ−ｓｈａｐｅｄ）の部材を形成する。好ましくは、バックル部材５５６は、レール５５８を、ファスナモジュール５５０がレール５５８と摩擦係合されるように把持する。クリップ部材５５４は、先に記載したクリップ部材と類似である。クリップ部材５５４は、ウィンドウカバーリングの最上パネル５６２（点線で示す）のアンカー部材５６０を把持するように構成されているアーチ状部材である。これにより、パネルは、先に論じたように、パネル全体が、例えば洗浄又は交換のために取り外されることを可能にするためにウィンドウカバーリングの他の部品から着脱可能である。
【００３６】
本発明に従うファスナモジュールのさらに別の実施形態が図１２〜図１４に記載されている。この実施形態において、ファスナモジュール６００は、ホルスター６０２、バックル部材、例えば横方向ロッド６０４を含み、横方向ロッド６０４は、ホルスター６０２により画成された通路６０６に挿入可能である。横方向ロッド６０４は遠位端部６０８を含み、遠位端部６０８は、キャッチ６１４を通路６０６内に係合させる戻り止めを有する。この実施形態において、戻り止めは、遠位端部６０８上に、弾性的に変形可能な１対の隆起部６０７及び６０９を含み、キャッチは、通路のオフセット部である。遠位側の隆起部６０７は、変形され、キャッチ６１４を超えて押される。近位側の隆起部６０９は、横方向ロッド６０４が通路６０６に入る範囲を限定する。横方向ロッド６０４をホルスター６０２との係合から外すことは、遠位側の隆起部６０７を、キャッチ６１４を通り越して移動させるように力を遠位端部６０８に加えることにより行われる。
【００３７】
クリップ部材、例えば、柔軟なバンド６１２が、ホルスター６０２を横方向ロッド６０４に、遠位端部６０８に対して反対側の近位端６１４で連結している。柔軟なバンド６１２は、また、図１５に示されているように、ファスナモジュール６００を、ファスナモジュール６００がウィンドウカバーリングのパネル６２２のアンカー部材６２０に拘束されるように配置するように働く。横方向ロッド６０４が、制御コード６２６に形成されたループ６２４を通ってガイドされる。近位端６１４が、さらに、制御コード６２６の移動を制限するように設計された球状部分を画成する。バンド６１２は、パネル６２２の開口６２８を通ってアンカー部材６２０の周囲にガイドされ、これにより、ファスナモジュール６００及び制御コード６２６は、アンカー部材６２０に拘束されるように配置される。
【００３８】
本発明を、完成されたウィンドウカバーリングに関しても論じてきた。ウィンドウカバーリングを、分解された形態、例えばキット７００（図１６）として販売することにより、ユーザがウィンドウカバーリングをユーザ自身で組み立てることができることに留意されたい。キット７００は、ヘッドレール７１０、ファブリックパネル、制御コード７３０、アンカー部材７４０、及び複数のファスナモジュール７５０などの物品を含み得る。組立説明書７６０も含まれ得る。
【００３９】
説明した実施形態において、列の片側の部分のみが示されている。均衡のとれた構造をもたらすために、当分野でよく理解されているように、ウィンドウカバーリングの両側に類似の制御部材及びファスナモジュールが配置されることが好ましいことが理解されよう。
【００４０】
上記の説明は、限定的でなく、例示的とみなされるべきである。本発明の精神及び範囲内のさらなる他の変型が、当業者により容易に表れるであろう。
【図面の簡単な説明】
【００４１】
【図１】図１は、本発明のファスナモジュールを用いることに適したウィンドウカバーリングの実施形態の前方斜視図である。
【図２】図２は、図１のウィンドウカバーリングの、部分的に開放された位置における前方斜視図である。
【図３】図３は、図１のウィンドウカバーリングにおける列の後方斜視図であり、本発明のファスナモジュールの一実施形態を示す。
【図４】図４は、図３のファスナモジュールの拡大図である。
【図５】図５は、図４のファスナモジュールの拡大斜視図であり、タブ部材が横方向ロッドから係合を外されている様子を示す。
【図６】図６は、図３に示した後方斜視図であり、ファスナモジュールの選択的な係合を示す。
【図７】図７は、ウィンドウカバーリングの列の別の実施形態の側方斜視図であり、列の両方の長手方向部分に固定された本発明に従うファスナモジュールの実施形態を示す。
【図８】図８は、ファスナモジュールの別の実施形態の斜視図である。
【図９】図９は、図８のファスナモジュールの開放位置における斜視図である。
【図１０】図１０は、ファスナモジュールを用いた別のウィンドウカバーリングにおける列の概略的な部分斜視図である。
【図１１】図１１は、ヘッドレールに着脱可能に固定可能なファスナモジュールのさらに別の実施形態の拡大部分側面図であり、ヘッドレール及びパネルが断面図で示されている。
【図１２】図１２は、本発明に従うファスナモジュールの別の実施形態の斜視図である。
【図１３】図１３は、図１２のファスナモジュールの斜視図であり、ホルスターが部分切取図で示されている。
【図１４】図１４は、図１２のファスナモジュールの斜視図であり、ホルスターが部切取図として示され、横方向ロッドがホルスターとの係合から外されている様子を示す。
【図１５】図１５は、図１２のファスナモジュールがウィンドウカバーリングのパネル及び制御コードと係合されている様子を示す拡大斜視図である。
【図１６】図１６は、本発明の実施形態に従うキットの概略斜視図である。
【図１】
2008518131.tif 000003
【図２】
2008518131.tif 000004
【図３】
2008518131.tif 000005
【図４】
2008518131.tif 000006
【図５】
2008518131.tif 000007
【図６】
2008518131.tif 000008
【図７】
2008518131.tif 000009
【図８】
2008518131.tif 000010
【図９】
2008518131.tif 000011
【図１０】
2008518131.tif 000012
【図１１】
2008518131.tif 000013
【図１２】
2008518131.tif 000014
【図１３】
2008518131.tif 000015
【図１４】
2008518131.tif 000016
【図１５】
2008518131.tif 000017
【図１６】
2008518131.tif 000018
【国際調査報告】
2008518131.tif 000019